(57)【特許請求の範囲】
【請求項１】
選択された歯科用のハンドピースが認識されるとともに、
前記ハンドピースを駆動させるための圧縮空気及び加圧水を供給する圧縮空気供給管路及び加圧水供給管路と、
前記圧縮空気供給管路と前記ハンドピースとに連通した圧縮空気供給用バルブ群及び前記加圧水供給管路と前記ハンドピースとに連通した加圧水供給用バルブ群とを構成する歯科用ユニットのテーブル内にあるバルブブロックとを備え、
フットコントローラによって前記ハンドピースの速度制御及び注水制御が行われる歯科用ユニットの水回路清浄装置であって、
前記バルブブロックの加圧水供給管路の１次側の出口を鉢洗い管路（接続点）に直結し、前記水圧源からの流水を行う場合に前記バルブブロックの加圧水供給管路の１次側の入口に接続される加圧水供給バルブと、加圧水供給管路の１次側の出口の後段に接続される電磁弁を、それぞれ開状態としておくことにより、いずれのハンドピースが待機状態であっても前記水圧源からの流水が加圧水供給管路、バルブブロックの加圧水供給管路の１次側（前記入口、出口）を経由して、前記鉢洗い管路の接続点から鉢洗いノズルに注入されるとともに排水管路、排水トラップを経て排水口から排水することができる洗浄水路を具備し、
いずれのハンドピースもが選択されない待機状態であっても、任意に前記バルブブロック内の加圧水供給管路の１次側出口までを流水し洗浄することを可能としたことを特徴とする歯科用ユニットの水回路清浄装置。
【請求項２】
選択された歯科用のハンドピースが認識されるとともに、
前記ハンドピースを駆動させるための圧縮空気及び加圧水を供給する圧縮空気供給管路及び加圧水供給管路と、
前記圧縮空気供給管路と前記ハンドピースとに連通した圧縮空気供給用バルブ群及び前記加圧水供給管路と前記ハンドピースとに連通した加圧水供給用バルブ群とを構成する歯科用ユニットのテーブル内にあるバルブブロックとを備え、
フットコントローラによって前記ハンドピースの速度制御及び注水制御が行われる歯科用ユニットの水回路清浄装置であって、
前記バルブブロックの加圧水供給管路の１次側の出口を鉢洗い管路（接続点）に直結し、前記水圧源からの流水を行う場合に、前記バルブブロックの加圧水供給管路の１次側の入口に接続される加圧水供給バルブと、加圧水供給管路の１次側の出口の後段に接続される電磁弁を、それぞれ開状態としておくことにより、いずれのハンドピースが待機状態であっても前記水圧源からの流水が加圧水供給管路、バルブブロックの加圧水供給管路の１次側（前記入口、出口）を経由して、前記鉢洗い管路の接続点から鉢洗いノズルに注入されるとともに排水管路、排水トラップを経て排水口から排水することができる洗浄水路と、
前記圧縮空気供給管路に設けたスプレー用及びチップエアー用に備えられる管路と前記バルブブロックの加圧水供給管路の前記加圧水供給用バルブ群前段の１次側入口とを連通させる空気回路とを具備し、
いずれのハンドピースもが選択されない待機状態であっても、任意に前記バルブブロック内の加圧水供給管路の１次側出口までを流水し洗浄するとともに、
任意にハンドピースを選択したとき、前記バルブブロックの加圧水供給管路の１次側入口から前記ハンドピース先端に至る水管路に残留している水を前記空気回路からの圧縮空気によって除去可能としたことを特徴とする歯科用ユニットの水回路清掃装置。
【請求項３】
前記加圧水供給管路の洗浄が、洗浄作動スイッチを作動させることにより行われ、かつ、洗浄作動時間をタイマーにより任意に設定できることを特徴とする請求項１および２のいずれかに記載の歯科用ユニットの水回路清浄装置。
【発明の詳細な説明】
【０００１】
【発明の属する技術分野】
本発明は、歯科用ユニットの水回路清浄装置に関し、詳しくは、歯科用ユニットを構成する水回路内に繁殖する細菌を水流により又は圧縮空気により除去することが可能な歯科用ユニットの水回路清浄装置に関するものである。
【従来の技術】
日本国内の水道法では、細菌に関して、一般細菌は１００ＣＦＵ／ｍＬ（ＣＦＵ：Ｃｏｌｏｎｙ  Ｆｏｒｍｉｎｇ  Ｕｎｉｔ）以下、大腸菌類は０ＣＦＵ／ｍＬという規定がある。
【０００２】
歯科治療の分野では、歯科用ユニット内に残留水がある場合、残留水中の一般細菌数は増加傾向にあり、加圧水供給管路内では規定値を超える惧れがある。
【０００３】
このため、この対策として、「毎日の診療前に最低３分以上、ハンドピースを含む全ての歯科用治療器具から残留水を排出する洗浄を行う（フラッシングの実施）。尚、休診日の翌日は特に念入りに残留水の排出を行うこと」が推奨されている。
【０００４】
従来においては、休診日等のように歯科用ユニットを使用しない場合、水回路内の残留水中に細菌が繁殖する事態が生じることがあった。このため、歯科用ユニットの水回路の清浄化を図り細菌の繁殖を抑えるために、流水による水回路の洗浄（フラッシング）及び滅菌用薬剤を添加する洗浄等が行われている。
【０００５】
例えば、流水による細菌の洗浄を始めるにあたり、フラッシングの準備として、まず、ハンドピース類のインターロック（治療時にインスツルメントハンガーから最初に取り上げたハンドピースのみを駆動させる優先回路機構）を解除し、次に、前記ハンドピース類を鉢洗い上に設置した小受けにセットし、従来回路により加圧水供給源から前記ハンドピース類の先端まで流水（フラッシング）を手動又は自動により数分間行う。
【０００６】
また、前記ハンドピース類から排出された洗浄済みの水（以下、「除去水」と言う）に関しては、鉢洗いから排水するようにした歯科用スピットンの発明（特開平８−３３６５５号公報）や、バキュームにより除去水を吸引する方法等が知られている。
【０００７】
一方、例えば、東北・北海道地方等の寒冷地域では、冬期間は気温が低く、歯科用ユニット内の残留水が凍結し、歯科用ユニット水回路の破損が生じることが多々あった。
【０００８】
このため、従来においては、図３に示すように、歯科用ユニット内の残留水除去のために、水回路に加えて歯科用ユニットの水回路内全体に圧縮空気を通す空圧回路を付加した構成を使用し、残留水除去を行っている。
【０００９】
図３に示す歯科用ユニットは、サプライボックス部２００と、フートコントローラ部２３０と、第１タービンカプセル部２５０と、第２タービンカプセル部２７０と、マイクロモータカプセル部２９０と、トリプルカプセル部３００と、ユニット本体部３１０とを具備している。
【００１０】
前記サプライボックス部２００における水供給系は、水源２０１と、元コック２０２と、フィルタ２０３と、逆止弁２０４と、元コック２０５と、水減圧弁２０６とを具備している。
【００１１】
前記サプライボックス部２００における空気供給系は、空気源２１０と、元コック２１１と、ドレン付きフィルタ２１２と、減圧弁２１３と、圧力計２１４と、ドレッシングバルブ２１５とを具備している。
【００１２】
前記フートコントローラ部２３０は、切替バルブ２３１と、タービンドライブ用バルブ２３２と、マイクロモータドライブ兼スプレーエアー用バルブ２３３と、スプレー水用信号弁２３４とを具備している。
【００１３】
前記第１タービンカプセル部２５０は、逆止弁２５９と、タービン用信号弁２５１と、切替弁２５２、２５３と、スタンバイバルブ２５４と、水引きバルブ用信号弁２５５と、水引きバルブ２５６と、スプレーエアー用バルブ２５７と、流量調節弁２５８とを具備し、これらによりタービン４０１を含むハンドピースの駆動、スプレーエアーの供給、水引き等の動作を行う。
【００１４】
前記第２タービンカプセル部２７０は、第１タービンカプセル部２５０の場合と同様、逆止弁２７９と、タービン用信号弁２７１と、切替弁２７２、２７３と、スタンバイバルブ２７４と、水引きバルブ用信号弁２７５と、水引きバルブ２７６と、スプレーエアー用バルブ２７７と、流量調節弁２７８とを具備し、これらによりタービン４０２を含むハンドピースの駆動、スプレーエアーの供給、水引き等の動作を行う。
【００１５】
前記マイクロモータカプセル部２９０は、逆止弁２９９と、マイクロモータ用信号弁２９１と、切替弁２９２、２９３と、スタンバイバルブ２９４と、水引きバルブ用信号弁２９５と、水引きバルブ２９６と、流量調節弁２９８と、マイクロモータ用圧力スイッチ２９７と、電気部品に向けて冷却エアーを吐出する吐出ノズル３２０とを具備し、これらによりマイクロモータ４０３を含むハンドピースの駆動、水引き等の動作を行う。
【００１６】
前記トリプルカプセル部３００は、流量調節弁３１１と、サイレンサー３１２と、前記サプライボックス部２００における空気供給系から供給される空気の減圧を行う減圧弁３１３と、供給される水用の流量調節弁３１４とを具備し、これらによりトリプルシリンジ４０４を含むハンドピースの駆動を行う。
【００１７】
前記ユニット本体部３１０は、バキューム用同調用スイッチ３２１と、セーフガート・システム用スイッチ３２２と、前記サプライボックス部２００における水供給系から供給される水を暖めるウォーマ３２３と、コッブ給水用電磁弁３２４と、鉢洗い３２６に載せられるコップ３２７用のコップ給水部３２５と、水コック３２８と、ワンタッチジョイント３３４と、鉢洗いコック３２９と、アスピレータコック３３０と、アスピレータ３３１と、前記サプライボックス部２００における水供給系から、コック３５１、逆止弁３５２、レバコック３５３を介して供給される水の減圧を行う減圧弁３３２と、流量調節弁３３３とを具備し、これらにより前記コップ３２７への水の供給、鉢洗い３２６からの排水、トリプルシリンジ４０５、排唾管４０６を含むハンドピースの駆動を行うようになっている。
【００１８】
このような寒冷地用の歯科ユニットの機能を利用し、歯科用ユニットの水回路内全体の残留水を圧縮空気を利用してハンドピース先端部から排出することも可能である。
【００１９】
また、同様の効果をもたらすものとして、特開昭６１−２０９６５０号公報の歯科治療器具の水管路凍結防止具が提案されている。
【００２０】
更に、薬剤（ここでいう薬剤とは、除菌・殺菌効果を持つものの総称である）を加圧水供給管路内に流し、細菌類の除去を行う歯科用治療装置も提案されている（特開平１１−１９２２４７号公報）。
【００２１】
【発明が解決しようとする課題】
しかし、上述した従来例において、流水を使用する場合、ハンドピースのインターロックの解除及びハンドピースを小受け（ハンドピース受け）にセットする手間がかかる。
【００２２】
また、フラッシシグ作業は、通常治療前、休み時間、診療後に限定されるものであり、随時加圧水供給管路内を洗浄することは困難である。
【００２３】
また、東北・北海道地方等の寒冷地域で使用される歯科用ユニットで残留水除去を行った場合、加圧水供給管路内に圧縮空気が残るため、フラッシング後の治療において、十分な空気抜きを行わないと加圧水に圧縮空気が混じり不都合が生じる。
【００２４】
更に、薬剤を加圧水供給管路内に流す場合には、薬剤の残留濃度が規定値以下になるまで確実にフラッシングを実施しなければならない。
【００２５】
そして、薬剤が強酸性水分を含む場合には、水管路内に使用されている金属顆を腐蝕させる不都合が生じる可能性がある。
【００２６】
更に、薬剤の補充を頻繁に行わなければならないために、手間が煩雑となり、更に清浄費用の負担も生じる等の問題がある。
【００２７】
本発明は上記事情に鑑みてなされたものであり、加圧水供給管路内及びバルブブロックの加圧水供給管路の１次側入口からハンドピース先端に至る水管路内を清浄にし、細菌の繁殖を抑えることができ、従来行われているような煩雑な洗浄作業が不要とすることが可能な歯科用ユニットの水回路清浄装置を提供することを目的とするものである。
【００２８】
【課題を解決するための手投】
請求項１記載の発明は、選択された歯科用のハンドピースが認識されるとともに、前記ハンドピースを駆動させるための圧縮空気及び加圧水を供給する圧縮空気供給管路及び加圧水供給管路と、前記圧縮空気供給管路と前記ハンドピースとに連通した圧縮空気供給用バルブ群及び前記加圧水供給管路と前記ハンドピースとに連通した加圧水供給用バルブ群とを構成する歯科用ユニットのテーブル内にあるバルブブロックとを備え、フットコントローラによって前記ハンドピースの速度制御及び注水制御が行われる歯科用ユニットの水回路清浄装置であって、前記バルブブロックの加圧水供給管路の１次側の出口を鉢洗い管路（接続点）に直結し、前記水圧源からの流水を行う場合に、前記バルブブロックの加圧水供給管路の１次側の入口に接続される加圧水供給バルブと、加圧水供給管路の１次側の出口の後段に接続される電磁弁を、それぞれ開状態としておくことにより、いずれのハンドピースが待機状態であっても前記水圧源からの流水が加圧水供給管路、バルブブロックの加圧水供給管路の１次側（前記入口、出口）を経由して、前記鉢洗い管路の接続点から鉢洗いノズルに注入されるとともに排水管路、排水トラップを経て排水口から排水することができる洗浄水路を具備し、いずれのハンドピースもが選択されない待機状態であっても、任意に前記バルブブロック内の加圧水供給管路の１次側出口までを流水し洗浄することを可能としたことを特徴とするものである。
【００２９】
この発明によれば、前記バルブブロックの加圧水供給管路の１次側の出口を鉢洗い管路（接続点）に直結し、前記水圧源からの流水を行う場合に、前記バルブブロックの加圧水供給管路の１次側の入口に接続される加圧水供給バルブと、加圧水供給管路の１次側の出口の後段に接続される電磁弁を、それぞれ開状態としておくことにより、いずれのハンドピースが待機状態であっても前記水圧源からの流水が加圧水供給管路、バルブブロックの加圧水供給管路の１次側（前記入口、出口）を経由して、前記鉢洗い管路の接続点から鉢洗いノズルに注入されるとともに排水管路、排水トラップを経て排水口から排水することができる洗浄水路により、常時洗浄（フラッシング）が行えるようにしたものであるから、診療前後、治療中を問わず歯科用ユニットの加圧水供給源からバルブブロックの加圧水供給管路の１次側出口に至る水管路内を清浄にし、細菌の繁殖を抑えることができ、従来行われているような煩雑な洗浄作業を不要とすることが可能な歯科用ユニットの水回路清浄装置を提供することができる。
【００３２】
請求項２記載の発明は、選択された歯科用のハンドピースが認識されるとともに、前記ハンドピースを駆動させるための圧縮空気及び加圧水を供給する圧縮空気供給管路及び加圧水供給管路と、前記圧縮空気供給管路と前記ハンドピースとに連通した圧縮空気供給用バルブ群及び前記加圧水供給管路と前記ハンドピースとに連通した加圧水供給用バルブ群とを構成する歯科用ユニットのテーブル内にあるバルブブロックとを備え、フットコントローラによって前記ハンドピースの速度制御及び注水制御が行われる歯科用ユニットの水回路清浄装置であって、前記バルブブロックの加圧水供給管路の１次側の出口を鉢洗い管路（接続点）に直結し、前記水圧源からの流水を行う場合に、前記バルブブロックの加圧水供給管路の１次側の入口に接続される加圧水供給バルブと、加圧水供給管路の１次側の出口の後段に接続される電磁弁を、それぞれ開状態としておくことにより、いずれのハンドピースが待機状態であっても前記水圧源からの流水が加圧水供給管路、バルブブロックの加圧水供給管路の１次側（前記入口、出口）を経由して、前記鉢洗い管路の接続点から鉢洗いノズルに注入されるとともに排水管路、排水トラップを経て排水口から排水することができる洗浄水路と、前記圧縮空気供給管路に設けたスプレー用及びチップエアー用に備えられる管路と前記バルブブロックの加圧水供給管路の前記加圧水供給用バルブ群前段の１次側入口とを連通させる空気回路とを具備し、いずれのハンドピースもが選択されない待機状態であっても、任意に前記バルブブロック内の加圧水供給管路の１次側出口までを流水し洗浄するとともに、任意にハンドピースを選択したとき、前記バルブブロックの加圧水供給管路の１次側入口から前記ハンドピース先端に至る水管路に残留している水を前記空気回路からの圧縮空気によって除去可能としたことを特徴とするものである。
【００３３】
この発明によれば、診療前後、治療中を問わず、常に歯科用ユニットの加圧水供給源から歯科用ユニットのテーブル内にあるバルブブロック内の加圧水供給管路の１次側出口までの洗浄（フラッシング）を行え、また、診療前後において、任意にハンドピースを選択したとき、加圧水供給管路の１次側入口からハンドピース先端に至る水管路内の水を前記空気管路からの圧縮空気により除去し、細菌の繁殖を抑えることができ、従来行われているような煩雑な洗浄作業を不要とすることが可能な歯科用ユニットの水回路清浄装置を提供することができる。
【００３４】
請求項３記載の発明は、請求項１および２のいずれかに記載の歯科用ユニットの水回路清浄装置において、前記加圧水供給管路の洗浄が、洗浄作動スイッチを作動させることにより行われ、かつ、洗浄作動時間をタイマーにより任意に設定できることを特徴とするものである。
【００３５】
この発明によれば、加圧水供給管路の洗浄操作の簡略化、自動化が可能となる。
【００３６】
【発明の実施の形態】
以下に本発明の実施の形態について詳細に説明する。
【００３７】
（実施の形態１）
図１は本発明の実施の形態１の水回路清浄装置を含む歯科用ユニットの空気及び水回路を示す配管図である。
【００３８】
図１に示す歯科用ユニットは、サプライボックス１００、フットバルブ２１ａを有するフットコントローラ２１、テーブル１５０、バルブブロック１７０、鉢洗いユニット１８０、リンスユニット１９０等を有している。
【００３９】
前記サプライボックス１００において、１は水圧源、１ａは水圧源１に接続された加圧水供給管路であり、この加圧水供給管路１ａには水圧源１側から順に開閉コック２、フィルタ３ａ、逆止弁４、工事ボックス用コック２ａ、減圧弁５、中空糸フィルタ３ｂが接続されている。
【００４０】
また、前記サプライボックス１００において、１６は空気圧源であり、この空気圧源１６に、圧縮空気供給管路１５ａを接続し、この圧縮空気供給管路１５ａに開閉コック１７、減圧弁１８、ドレン付きフィルター１９、圧力計２０、前記フットコントローラ２１を順に接続している。
【００４１】
前記加圧水供給管路１ａには、それぞれ分岐管路である加圧水供給管路１ｂ、コップ給水管路１ｃ、鉢洗い管路１ｄが分岐接続されている。
【００４２】
前記加圧水供給管路１ｂには、バルブブロック１７０の加圧水供給管路１ｂの１次側の入口２８にフットコントローラ２１から出力される信号によって作動する加圧水供給バルブ６が接続され、更に、加圧水供給管路１ｂは、前記バルブブロック１７０内の１次側（入口２８、出口２９を経由する）を通る配管であり、この加圧水供給管路１ｂには、出口２９の後段に電磁弁７が各々接続され鉢洗いノズル１３に連通可能となっている。
【００４３】
また、前記加圧水供給管路１ａには、前記中空糸フィルタ３ｂの前段で鉢洗い管路１ｄが分岐接続されている。
【００４４】
前記コップ給水管路１ｃは、加圧水供給管路１ａから分岐され、ウォーマー９、コップ給水電磁弁１０に接続され、更にコップ１９２へ水を注水するコップ給水パイプ１１へと接続されている。
【００４５】
前記鉢洗い管路１ｄは、加圧水供給管路１ａから分岐し、鉢洗い給水電磁弁１２に接続し、更にその端部は鉢洗い１９１に水を供給する鉢洗いノズル１３に接続されている。
【００４６】
また、前記加圧水供給管路１ｂにおいては、バルブブロック１７０内で分岐点３０、３１、３２からそれぞれ分岐管路が設けられ、４個の加圧水供給用バルブ２６、４個の流量調整弁２７が接続されており、最後にハンドピース１４の先端の水噴射ノズル部のタービン５１、マイクロモータ５２及びタービン５３、スケーラ等のオプション５４に各々接続している。
【００４７】
前記圧縮空気供給管路１５ａは、フットコントローラ２１を経て前記テーブル１５０、バルブブロック１７０内に延長している。そして、バルブブロック１７０内において、４個のバルブ４１が接続され、更に各バルブ４１の出口側をハンドピース１４の先端の水噴射ノズル部のタービン５１、マイクロモータ５２及びタービン５３及びスケーラ等のオプション５４に各々接続している。
【００４８】
また、前記圧縮空気供給管路１５ａに対して、分岐管路である圧縮空気供給管路１５ｂが接続され、逆止弁２２を経てこの圧縮空気供給管路１５ｂを前記テーブル１５０、バルブブロック１７０内に延長している。そして、バルブブロック１７０内において、４個の信号弁２５が接続されている。
【００４９】
更に、圧縮空気供給管路１５ｂに分岐管路である圧縮空気供給管路１５ｃが接続され、この圧縮空気供給管路１５ｃに減圧弁１８ａを接続している。そして、前記減圧弁１８ａの出口側には、スプレー用及びチップエアー用を供給する圧縮空気供給管路１５ｃ’、１５ｃ’’を分岐させ、各々バルブ２３ａ、２３ｂを接続している。
そして、バルブ２３ａ、２３ｂの出口の管路を流量調節弁４３、逆止弁４４を経てバルブブロック１７０内に延長し、４個のバルブ４５が接続され、更に各バルブ４５の出口側をハンドピース１４の先端のノズル部のタービン５１、マイクロモータ５２及びタービン５３及びスケーラ等のオプション５４に各々接続している。
【００５０】
前記４個の信号弁２５は、圧縮空気供給管路１５ｂにより供給する圧縮空気により各々動作し、各々の出力信号により前記４個の加圧水供給用バルブ２６、４個のバルブ４１、４個のバルブ４５の開閉制御を個別に行うようになっている。
前記圧縮空気供給管路１５ｂには、更に分岐管路１５ｆが設けられ、この分岐管路１５ｆに流量調節弁４６を介してエアーワンタッチジョイント４７を接続している。
【００５１】
また、前記流量調節弁４６の前段に減圧弁４８を接続し、減圧弁４８の出口側にスリーウェイシリンジ４９を接続していてる。このスリーウェイシリンジ４９には、前記コップ給水管路１ｃから流量調節弁２７を介して水が供給されるようになっている。同様にコップ給水管路１ｃから流量調節弁２７を介して水用ワンタッチジョイント６１に水が供給されるようになっている。
【００５２】
また、前記圧縮空気供給管路１５ｃ’’には分岐管路１５ｇが接続され、ハンドピース１４の一つであるスリウェイシリンジ６２に圧縮空気を供給するようになっている。
【００５３】
更に、本実施の形態１の歯科用ユニットは、リンスユニット１９０に接続したバキューム７１、吸水管７２を備えている。即ち、前記コップ給水管路１ｃから分岐管路１ｅが分岐され、分岐管路１ｅには電磁弁７３、逆止弁付きタンク７４が接続されて、逆止弁付きタンク７４から分岐弁７５、調節弁７６を経て吸水管７２に吸水するとともに、セントラルバキューム部８０の動作により、バキューム７１により吸い取った水を調節弁７７、分岐弁７５を経てリンスユニット１９０に設けた貯留タンク７８に送り排水可能としている。前記貯留タンク７８の底部は排水系に接続されている。
【００５４】
更に、本実施の形態１の歯科用ユニットは、ノーバックシステム部９０として前記タービン５１、５３間の逆流を防止する逆止弁８１、電磁弁８２、ストラップ８３を備えている。尚、図１中、９１は圧縮空気供給管路１５ａに接続したタンクである。
【００５５】
次に、本実施の形態１の歯科用ユニットの作用を、フラッシング動作を行う場合を主にして説明する。
【００５６】
本実施の形態１のフラッシング方法（残留水の除去方法）としては、前記バルブブロック１７０の加圧水供給管路１ｂの一次側の出口２９を鉢洗い管路１ｄ（接続点３３）に直結しているため、前記水圧源１からの流水を行う場合、前記加圧水供給バルブ６、電磁弁７を開状態としておくことにより、いずれのハンドピース１４が待機状態であっても、流水は水圧源１から加圧水供給管路１ａ、バルブブロック１７０の加圧水供給管路１ｂの一次側（前記入口２８、出口２９を経由）を通り、鉢洗い管路１ｄの接続点３３から、鉢洗いノズル１３に注入され、更に排水管路８、排水トラップ６３を経て排水口から排水することができ、これにより、診療前後及び治療中にかかわらず、常に流水しておくことができる。
【００５７】
このため、フラッシングの作業時間をわざわざとる必要がなく、常に加圧水供給管路１ａ、１ｂは洗浄されていることになり、これら加圧水供給管路１ａ、１ｂ内は清浄に保たれる。
【００５８】
この場合、前記バルブブロック１７０内の加圧水供給管路１ｂから分岐されている分岐管路に流水されないように、分岐管路上の分岐点３０、３１、３２の前段に設けた加圧水供給用バルブ２６を閉めて（オフ状態）おく。
【００５９】
以上のような操作は、図示していないがフラッシング作動スイッチのオン／オフを手動で行い、又は、フラッシング時間を図示していないがタイマーにより任意に設定して行うことで実現できる。
【００６０】
（実施の形態２）
次に、本発明の実施の形態２について図２を参照して説明する。尚、本実施の形態２の歯科用ユニットの構成は実施の形態１の場合と略同様であるため、同一の要素には同一の符号を付し、その詳細な説明は省略する。
【００６１】
本実施の形態２においては、実施の形態１の歯科用ユニットの構成に加えて、前記圧縮空気供給管路１５ｃから分岐されている分岐管路１５ｃ〃と、前記バルブブロック１７０の加圧水供給管路１ｂの一次側（入口２８）とを短絡する電磁弁２４を含む短絡圧縮空気供給管路１５ｄを設けたことが特徴である。
【００６２】
既述した実施の形態１のような洗浄方法では、バルブブロック１７０内の加圧水供給管路１ｂの一次側の分岐点３０、３１、３２から分岐されている分岐管路からハンドピース１４先端の水噴射ノズル部までの残留水除去を行うことができない。
【００６３】
そこで、本実施の形態２においては、ハンドピース１４の残留水除去を行う場合、まず、任意にハンドピース１４を選択する。次に、加圧水供給用バルブ２６を開く。
【００６４】
次に選択したハンドピース１４を鉢洗い１９１へ持っていく。次に、短絡圧縮空気供給管路１５ｄに接続されている電磁弁２４を開ける（オン状態にする）。
【００６５】
これにより、空気圧源１６から供給される圧縮空気が、バルブブロック１７０の加圧水供給管路１ｂの一次側の分岐点３０、３１、３２から分岐された分岐管路を通り、加圧水供給用バルブ２６を通過して、タービン５１、マイクロモータ５２、タービン５３、オプション５４を含むハンドピース１４先端の水噴射ノズル部等に至る水管路に存在する残留水を除去する。
【００６６】
前記加圧水供給用バルブ２６は、圧縮空気供給管路１５ｂから分岐されている圧縮空気供給管路１５ｅに接続されている信号弁２５の動作で送られるオン／オフの信号によって、開閉（オン／オフ）動作が可能である。
【００６７】
上述した圧縮空気による水管路に存在する残留水を除去する間、前記圧縮空気供給管路１ｂに接続されたフットコントローラ２１の操作で出力される信号によって、前記加圧水供給用バルブ６を閉状態とすることで、加圧水がバルブブロック１７０（入口２８から出口２９）内の加圧水供給管路１ｂに入り込まないよう制御する。
【００６８】
尚、上述した実施の形態１、２では、圧縮空気供給用バルブ群、加圧水供給用バルブ群を備えたバルブブロック１７０を使用する構成について説明したが、圧縮空気供給用バルブ群、加圧水供給用バルブ群を個別に列設した構成とすることもできる。
【００６９】
【発明の効果】
本発明によれば、歯科用ユニットの加圧水供給源から歯科用ユニットのテーブル内にあるバルブブロックの加圧水供給管路の１次側出口までの加圧水供給管路内を任意に流水可能としているので、診療前後、治療中を問わず、加圧水供給管路内を清浄にし、細菌の繁殖を抑えることができ、煩雑な洗浄作業が不要とすることが可能な歯科用ユニットの水回路清浄装置を提供することができる。
【００７１】
更に、本発明によれば、診療前後、治療中を問わず、常に歯科用ユニットの加圧水供給源から歯科用ユニットのテーブル内にあるバルブブロック内の加圧水供給管路の１次側出口までの洗浄（フラッシング）を行え、また、診療前後において、任意にハンドピースを選択したとき、加圧水供給管路の１次側入口からハンドピース先端に至る水管路内の水を空気管路からの圧縮空気により除去し、細菌の繁殖を抑えることができ、従来行われているような煩雑な洗浄作業を不要とすることが可能な歯科用ユニットの水回路清浄装置を提供することができる。
【００７２】
更に、本発明によれば、加圧水供給管路の洗浄操作の簡略化、自動化が可能な水回路清浄装置を提供することができる。
【図面の簡単な説明】
【図１】本発明の実施の形態１の水回路清掃装置を含む歯科用ユニットを示す配管構成図である。
【図２】本発明の実施の形態２の水回路清掃装置を含む歯科用ユニットを示す配管構成図である。
【図３】従来の水回路に空圧回路を付加した構成の歯科用ユニットを示す配管構成図である。
【符号の説明】
１  水圧源
１ａ  加圧水供給管路
１ｂ  加圧水供給管路
１ｃ  コップ給水管路
１ｄ  鉢洗い管路
１ｅ  分岐管路
２  開閉コック
２ａ  工事ボックス用コック
３ａ  フィルタ
３ｂ  中空糸フィルタ
４  逆止弁
５  減圧弁
６  加圧水供給用バルブ
７  電磁弁
８  排水管路
９  ウォーマー
１０  コップ給水電磁弁
１１  コップ給水パイプ
１２  給水電磁弁
１３  給水ノズル
１４  ハンドピース
１５ａ  圧縮空気供給管路
１５ｂ  圧縮空気供給管路
１５ｃ  圧縮空気供給管路
１５ｄ  短絡圧縮空気供給管路
１５ｅ  分岐管路
１５ｆ  分岐管路
１５ｇ  分岐管路
１６  空気圧源
１７  開閉コック
１８  減圧弁
１９  ドレン付フィルター
２０  圧力計
２１  フットコントローラ
２２  逆止弁
２３ａ、２３ｂ  電磁弁
２４  電磁弁
２５  信号弁
２６  加圧水供給用バルブ
２７  流量調節弁
２８  入口
２９  出口
３０、３１、３２  分岐点
３３  接続点
４１  バルブ
４３  流量調節弁
４４  逆止弁
４５  バルブ
４６  流量調節弁
４７  エアーワンタッチジョイント
４８  減圧弁
４９  スリーウェイシリンジ
５１、５３  タービン
５２  マイクロモータ
５３  タービン
５４  オプション
６１  水用ワンタッチジョイント
６３  排水トラップ
６２  スリウェイシリンジ
６３  排水トラップ
７１  バキューム
７２  吸水管
７３  電磁弁
７４  逆止弁付きタンク
７５  分岐弁
７６  調節弁
７７  調節弁
７８  貯留タンク
８０  セントラルバキューム部
８１  逆止弁
８２  電磁弁
１００  サプライボックス
１５０  テーブル
１７０  バルブブロック
１８０  ユニット
１９０  リンスユニット
１９１  鉢洗い
１９２  コップ
【図１】
0004766631.tif 000002
【図２】
0004766631.tif 000003
【図３】
0004766631.tif 000004